(57)【要約】【課題】挿入部の外径寸法が増大することを抑制しつつ、挿入部に設けられた光電変換素子を冷却することができる内視鏡システムを提供することを目的とする。【解決手段】細長い挿入部と、該挿入部の先端に実装された光電変換素子と、前記挿入部に設けられ、該挿入部の先端に開口した送水口を有する送水チャネルと、該送水チャネルの途中位置に接続され、前記光電変換素子と熱交換可能に設けられた放熱部と、前記送水チャネルにより送水されてきた冷却水の供給方向を前記送水口側又は前記放熱部側のいずれかに切り替える給水方向切替手段とを備える内視鏡システムを採用する。【選択図】図１
2009160075.tif 000002
【特許請求の範囲】
【請求項１】
細長い挿入部と、
該挿入部の先端に実装された光電変換素子と、
前記挿入部に設けられ、該挿入部の先端に開口した送水口を有する送水チャネルと、
該送水チャネルの途中位置に接続され、前記光電変換素子と熱交換可能に設けられた放熱部と、
前記送水チャネルにより送水されてきた冷却水の供給方向を前記送水口側又は前記放熱部側のいずれかに切り替える給水方向切替手段とを備える内視鏡システム。
【請求項２】
前記給水方向切替手段が、前記送水チャネル内の圧力を利用して供給方向を切り替える請求項１に記載の内視鏡システム。
【請求項３】
前記給水方向切替手段は、前記送水チャネル内の圧力が所定値未満の場合には冷却水の供給方向を前記放熱部側に切り替えるとともに、前記送水チャネル内の圧力が所定値以上の場合には冷却水の供給方向を前記送水口側に切り替える請求項２に記載の内視鏡システム。
【請求項４】
前記給水方向切替手段が冷却水の供給方向を前記送水口側に切り替えた場合に、前記光電変換素子を低発熱モードに設定する低発熱モード設定手段をさらに備える請求項１から請求項３のいずれかに記載の内視鏡システム。
【請求項５】
前記挿入部に設けられ、該挿入部の先端に開口した吸引口を有し、該吸引口近傍の液体又は気体を吸引する吸引チャネルをさらに備える請求項１から請求項４のいずれかに記載の内視鏡システム。
【請求項６】
前記送水チャネルと前記吸引チャネルとが前記放熱部を介して接続され、
前記吸引チャネルの吸引方向を前記吸引口側又は前記放熱部側のいずれかに切り替える吸引方向切替手段をさらに備え、
前記吸引方向切替手段は、前記送水チャネルの送水方向が前記放熱部側の場合には前記吸引チャネルの吸引方向を前記放熱部側に切り替える請求項５に記載の内視鏡システム。
【請求項７】
前記吸引方向切替手段が、前記吸引チャネル内の圧力を利用して吸引方向を切り替える請求項６に記載の内視鏡システム。
【請求項８】
細長い挿入部と、
該挿入部の先端に実装された光電変換素子と、
前記挿入部に設けられ、該挿入部の先端に開口した送水口を有し、該送水口へ冷却水を送水する送水チャネルと、
前記光電変換素子に近接して配置され、前記挿入部の先端外面に開口し、前記送水チャネルに連通して送られてきた冷却水が染み出す放熱部とを備える内視鏡システム。
【請求項９】
前記放熱部は、多数の透孔を有する多孔質材料からなる請求項８に記載の内視鏡システム。
【請求項１０】
前記放熱部の放熱面に親水性の層を有する請求項８または請求項９に記載の内視鏡システム。
【請求項１１】
前記放熱部の温度を検出する温度検出部と、
該温度検出部により検出された温度に応じて前記放熱部への送水量を調整する送水量調整手段とをさらに備える請求項８から請求項１０のいずれかに記載の内視鏡システム。
【請求項１２】
前記挿入部に設けられ、前記放熱部の近傍に開口した送気チャネルと、
該送気チャネルに送気を行う送気手段とをさらに備える請求項８から請求項１１のいずれかに記載の内視鏡システム。
【請求項１３】
前記放熱部の周囲の湿度を検出する湿度検出部をさらに備え、
前記送気手段が、前記湿度検出部により検出された湿度が所定値以上の場合に送気を行う請求項１２に記載の内視鏡システム。
【請求項１４】
前記挿入部に設けられ、該挿入部の先端に開口した吸引口を有し、該吸引口近傍の液体又は気体を吸引する吸引チャネルと、
前記吸引口の周囲の圧力を検出する圧力検出部と、
該圧力検出部により検出された圧力に応じて前記吸引口からの吸引量を調整する吸引量調整手段とをさらに備える請求項８から請求項１３のいずれかに記載の内視鏡システム。
【発明の詳細な説明】
【技術分野】
【０００１】
本発明は、挿入部の先端に設けられた光電変換素子を冷却する内視鏡システムに関するものである。
【背景技術】
【０００２】
近年、装置の簡素化を目的として、挿入部の先端に光源としての発光ダイオードや撮像素子としてのＣＣＤ等の光電変換素子を内蔵させた内視鏡システムが提案されている。
ここで、発光ダイオードは、発光時に発熱し、温度が上昇するにつれて輝度が低下するとともに寿命が縮まるという特性を有している。挿入部内は狭く、放熱しにくい環境であるため、このような環境下で発光ダイオードを連続点灯させると、輝度が低下して人体等の内部観察作業に支障をきたすとともに、発光ダイオードの寿命が著しく縮まってしまうという問題が生じる。
【０００３】
上記問題に対して、従来、挿入部内に冷却用の空気または水等を循環させ、発光ダイオードやＣＣＤ等の光電変換素子を冷却する技術が知られている（例えば、特許文献１、特許文献２参照。）
【特許文献１】特開平５−１１１４５３号公報
【特許文献２】特開平７−２２７３９４号公報
【発明の開示】
【発明が解決しようとする課題】
【０００４】
しかしながら、上記技術では、冷却用の空気または水等を循環させるためのチャネルを挿入部内に設ける必要があるため、挿入部の外径寸法が大きくなる。したがって、医療用途に適用する場合には、挿入部を人体内部に挿入する際に患者の負担を増大させてしまうという不都合がある。
【０００５】
本発明は、上記事情に鑑みてなされたもので、挿入部の外径寸法が増大することを抑制しつつ、挿入部に設けられた光電変換素子を冷却することができる内視鏡システムを提供することを目的とする。
【課題を解決するための手段】
【０００６】
上記目的を達成するために、本発明は以下の手段を採用する。
本発明は、細長い挿入部と、該挿入部の先端に実装された光電変換素子と、前記挿入部に設けられ、該挿入部の先端に開口した送水口を有する送水チャネルと、該送水チャネルの途中位置に接続され、前記光電変換素子と熱交換可能に設けられた放熱部と、前記送水チャネルにより送水されてきた冷却水の供給方向を前記送水口側又は前記放熱部側のいずれかに切り替える給水方向切替手段とを備える内視鏡システムを採用する。
【０００７】
本発明によれば、挿入部を体内等に挿入した状態で送水チャネルを介して冷却水を供給することにより、送水口に対向する部位あるいは光電変換素子用の観察窓の洗浄を行うことができる。一方、給水方向切替手段により給水方向を切り替えることによって、放熱部側に冷却水を供給し、挿入部の先端に実装された光電変換素子を冷却することができる。これにより、送水口側に向けて冷却水を送る送水チャネルを利用して光電変換素子の冷却を行うことができ、光電変換素子の冷却用の送水チャネルを別途設ける必要がなくなるため、挿入部の外径寸法が増大することを防止することが可能となる。ここで、光電変換素子は、例えば、発光ダイオードあるいはＣＣＤである。
【０００８】
上記発明において、前記給水方向切替手段が、前記送水チャネル内の圧力を利用して供給方向を切り替えることとしてもよい。
このようにすることで、送水チャネル内の圧力を変化させることにより給水方向切替手段を動作させ、送水口側又は放熱部側のいずれかを選択して送水することができる。これにより、給水方向切替手段を、電磁弁等の電力を必要とする構成ではなく、例えば、バネ等を用いた簡易な構成とすることができる。また、電磁弁等を動作させるための電力線を挿入部に設ける必要がなくなるため、挿入部の外径寸法が増大することを防止することができる。
【０００９】
上記発明において、前記給水方向切替手段は、前記送水チャネル内の圧力が所定値未満の場合には冷却水の供給方向を前記放熱部側に切り替えるとともに、前記送水チャネル内の圧力が所定値以上の場合には冷却水の供給方向を前記送水口側に切り替えることとしてもよい。
このようにすることで、送水口側に供給する冷却水を高圧・大流量とし、送水口に対向する部位の洗浄性を向上させることができるとともに、放熱部側に供給する冷却水を低圧・小流量とし、放熱部にかかる水圧を低減することができる。
【００１０】
上記発明において、前記給水方向切替手段が冷却水の供給方向を前記送水口側に切り替えた場合に、前記光電変換素子を低発熱モードに設定する低発熱モード設定手段をさらに備えることとしてもよい。
このようにすることで、給水方向切替手段が冷却水の供給方向を送水口側としている場合、すなわち、光電変換素子の冷却が行われていない場合には、低発熱モード設定手段により光電変換素子が低発熱モードに設定され、その発熱量を低減させることができる。ここで、光電変換素子として、例えば、発光ダイオードやＣＣＤ等が用いられており、これらの低発熱モードの例として、発光ダイオードの発光量を低くすることや、ＣＣＤの動作クロック数を下げることが挙げられる。
【００１１】
上記発明において、前記挿入部に設けられ、該挿入部の先端に開口した吸引口を有し、該吸引口近傍の液体又は気体を吸引する吸引チャネルをさらに備えることとしてもよい。
このようにすることで、吸引チャネルにより、挿入部の先端近傍の液体又は気体を吸引口から吸引することができる。
【００１２】
上記発明において、前記送水チャネルと前記吸引チャネルとが前記放熱部を介して接続され、前記吸引チャネルの吸引方向を前記吸引口側又は前記放熱部側のいずれかに切り替える吸引方向切替手段をさらに備え、前記吸引方向切替手段は、前記送水チャネルの送水方向が前記放熱部側の場合には前記吸引チャネルの吸引方向を前記放熱部側に切り替えることとしてもよい。
このようにすることで、吸引方向切替手段により吸引チャネルの吸引方向を切り替えることによって、送水口に対向する部位の洗浄あるいは冷却用として送られた水と放熱部の冷却用として送られた水とを吸引チャネルにより吸引することができる。したがって、放熱部の冷却に用いられた水を還流させる還水チャネルを別途設ける必要がなくなるため、挿入部の外形寸法を小さくすることが可能となる。
【００１３】
上記発明において、前記吸引方向切替手段が、前記吸引チャネル内の圧力を利用して吸引方向を切り替えることとしてもよい。
このようにすることで、吸引チャネル内の圧力を変化させることにより吸引方向切替手段を動作させ、吸引口側又は放熱部側のいずれかを選択して吸引することができる。これにより、吸引方向切替手段を、電磁弁等の電力を必要とする機構ではなく、例えば、バネ等を用いた簡易な機構とすることができる。また、電磁弁等を動作させるための電力線を挿入部に設ける必要がなくなるため、挿入部の外径寸法が増大することを防止することができる。
【００１４】
本発明は、細長い挿入部と、該挿入部の先端に実装された光電変換素子と、前記挿入部に設けられ、該挿入部の先端に開口した送水口を有し、該送水口へ冷却水を送水する送水チャネルと、前記光電変換素子に近接して配置され、前記挿入部の先端外面に開口し、前記送水チャネルに連通して送られてきた冷却水が染み出す放熱部とを備える内視鏡システムを採用する。ここで、前記放熱部とは、例えば多数の透孔を有する多孔質材料からなるものである。
【００１５】
本発明によれば、送水チャネル内の冷却水が多数の透孔を通って放熱部の表面に染み出し、染み出した水が気化する際に放熱部から気化熱を奪うので放熱を行うことができる。なお、放熱部を構成する多孔質材料として、例えば、焼結金属が好適である。
【００１６】
上記発明において、前記放熱部の放熱面に親水性の層を有することとしてもよい。
このようにすることで、送水チャネル内の冷却水を親水性の層を有する放熱面に拡げることができ、放熱部の放熱を効率的に行うことができる。なお、親水性の層として、例えば、酸化チタンが好適である。
【００１７】
上記発明において、前記放熱部の温度を検出する温度検出部と、該温度検出部により検出された温度に応じて前記放熱部への送水量を調整する送水量調整手段とをさらに備えることとしてもよい。
このようにすることで、温度検出部により放熱部の温度管理を行い、放熱部が過熱してしまうことを防止することができる。
【００１８】
上記発明において、前記挿入部に設けられ、前記放熱部の近傍に開口した送気チャネルと、該送気チャネルに送気を行う送気手段とをさらに備えることとしてもよい。
このようにすることで、送気手段により送気チャネルを介して放熱部の近傍に送気を行い、放熱部における気化を促進することができる。
【００１９】
上記発明において、前記放熱部の周囲の湿度を検出する湿度検出部をさらに備え、前記送気手段が、前記湿度検出部により検出された湿度が所定値以上の場合に送気を行うこととしてもよい。
このようにすることで、湿度検出部により放熱部の周囲の湿度管理を行い、検出された湿度が所定値以上の場合に送気手段により放熱部の近傍に送気を行うことによって、放熱部における気化を効率的に行うことができる。
【００２０】
上記発明において、前記挿入部に設けられ、該挿入部の先端に開口した吸引口を有し、該吸引口近傍の液体又は気体を吸引する吸引チャネルと、前記吸引口の周囲の圧力を検出する圧力検出部と、該圧力検出部により検出された圧力に応じて前記吸引口からの吸引量を調整する吸引量調整手段とをさらに備えることとしてもよい。
このようにすることで、吸引チャネルにより放熱部の冷却に用いられて昇温した冷却水を吸引することができる。また、圧力検出部により吸引口の周囲の圧力管理を行い、吸引口の周囲の圧力を適正な値とすることができる。
【発明の効果】
【００２１】
本発明によれば、挿入部の外径寸法が増大することを抑制しつつ、挿入部に設けられた光電変換素子を冷却することができるという効果を奏する。
【発明を実施するための最良の形態】
【００２２】
〔第１の実施形態〕
以下、本発明の第１の実施形態に係る内視鏡システムについて図面を参照して説明する。
図１に示すように、本実施形態に係る内視鏡システム１は、例えば、体腔内に挿入されて体腔内の画像を取得するために細長く形成された挿入部１０と、挿入部１０内に設けられた後述する給水方向切替弁１５および吸引方向切替弁２５を動作させる操作部２０と、挿入部１０に冷却水を送水するとともに挿入部１０により取得した画像に画像処理等を施す内視鏡制御ユニット（図示略）とを備えている。
【００２３】
挿入部１０は、その先端に配置された光電変換素子１１と、挿入部１０の長手方向に沿って基端側から先端まで全長に渡って設けられ、先端に開口する送水チャネル１３および吸引チャネル２３と、送水チャネル１３の途中位置に設けられた給水方向切替弁（給水方向切替手段）１５と、吸引チャネル２３の途中位置に設けられた吸引方向切替弁（吸引方向切替手段）２５と、光電変換素子１１に近接して配置され、送水チャネル１３および吸引チャネル２３にそれぞれ給水方向切替弁１５、吸引方向切替弁２５を介して接続されている放熱部１４とを備えている。
【００２４】
光電変換素子１１は、例えば、光源として用いられる発光ダイオードや撮像素子として用いられるＣＣＤである。これにより、挿入部１０の先端に対向した観察部位に対し、発光ダイオードにより光を照射し、観察部位の画像をＣＣＤにより取得するようになっている。
【００２５】
送水チャネル１３は、挿入部１０の先端に開口した送水口１２を有しており、挿入部１０の基端側から送水口１２に冷却水を流通させるようになっている。これにより、送水口１２に対向した観察部位に対して冷却水を供給し、観察部位あるいは発光ダイオードやＣＣＤ用の観察窓（図示略）の洗浄を行うようになっている。
【００２６】
放熱部１４は、例えば、光電変換素子１１に近接して配置された水冷式熱交換器であり、熱伝導率の高い金属材料で構成されるとともに、光電変換素子１１との接触面積を大きく確保することにより、光電変換素子１１を効率よく冷却するようになっている。
【００２７】
給水方向切替弁１５は、操作部２０からの指示に基づいて、送水チャネル１３内を挿入部１０の基端側から送水されてきた冷却水の供給方向を送水口１２側又は放熱部１４側のいずれかに切り替えるようになっている。具体的な給水方向切替弁１５の構成として、例えば、電磁式の三方弁を挙げることができる。
【００２８】
吸引チャネル２３は、挿入部１０の先端に開口した吸引口２２を有しており、吸引口２２から液体又は気体を吸引して挿入部１０の基端側に排出するようになっている。また、吸引チャネル２３は、放熱部１４を介して送水チャネル１３と接続されており、放熱部１４に送られた冷却水を吸引して挿入部１０の基端側に排出することができるようになっている。
【００２９】
吸引方向切替弁２５は、操作部２０からの指示に基づいて、吸引チャネル２３の吸引方向を吸引口２２側又は放熱部１４側のいずれかに切り替えるようになっている。具体的な吸引方向切替弁２５の構成として、例えば、電磁式の三方弁を挙げることができる。
【００３０】
操作部２０は、ユーザの操作に基づいて、給水方向切替弁１５および吸引方向切替弁２５に動作指示を出力する操作スイッチ２１を備えている。
操作スイッチ２１は、給水方向切替弁１５と吸引方向切替弁２５とを連動して動作させるようになっている。具体的には、送水チャネル１３の送水方向が放熱部１４側となるように給水方向切替弁１５を動作させている場合には、吸引チャネル２３の吸引方向が放熱部１４側となるように吸引方向切替弁２５を動作させるようになっている。
【００３１】
上記構成を有する内視鏡システム１の作用について、図１から図３を用いて以下に説明する。
まず、観察中、すなわち、放熱部１４に冷却水を流通させる場合について説明する。
図１に示すように、操作スイッチ２１は、送水チャネル１３の送水方向および吸引チャネル２３の吸引方向が放熱部１４側となるように給水方向切替弁１５および吸引方向切替弁２５を動作させている。この場合において、挿入部１０の基端側から送水チャネル１３を通って送られてきた冷却水は、放熱部１４を流通した後に、吸引チャネル２３を流通して挿入部１０の基端側に排出される。ここで、放熱部１４を流通する際、光電変換素子１１と冷却水との間で放熱部１４を介して熱交換が行われ、光電変換素子１１から発生した熱は冷却水に伝達して外部に排出される。このようにすることで、観察部位に冷却水を供給することなく光電変換素子１１の冷却が行われる。
【００３２】
次に、観察部位への送水時、すなわち、送水口１２から冷却水を供給する場合について説明する。
図２に示すように、操作スイッチ２１は、送水チャネル１３の送水方向が送水口１２側となるように給水方向切替弁１５を動作させている。この場合において、挿入部１０の基端側から送水チャネル１３を通って送られてきた冷却水は、送水口１２から観察部位に供給され、観察部位の洗浄あるいは冷却が行われる。
【００３３】
次に、観察部位からの吸引時、すなわち、吸引口２２から液体又は気体を吸引する場合について説明する。
図３に示すように、操作スイッチ２１は、吸引チャネル２３の送水方向が吸引口２２側となるように吸引方向切替弁２５を動作させている。この場合において、吸引口２２近傍の液体又は気体が吸引口２２から吸引され、吸引チャネル２３を流通して挿入部１０の基端側に排出される。これにより、観察部位を観察する際に邪魔な水等の除去が行われる。
【００３４】
以上説明したように、本実施形態に係る内視鏡システム１によれば、挿入部１０を体腔内に挿入した状態で送水チャネル１３を介して冷却水を供給することにより、送水口１２に対向する観察部位あるいは発光ダイオードやＣＣＤ用の観察窓（図示略）の洗浄を行うことができる。一方、給水方向切替弁１５により給水方向を切り替えることによって、放熱部１４側に冷却水を供給し、挿入部１０の先端に実装された光電変換素子１１を冷却することができる。これにより、送水口１２側に向けて冷却水を送る送水チャネル１３を利用して光電変換素子１１の冷却を行うことができ、光電変換素子１１の冷却用の送水チャネルを別途設ける必要がなくなるため、挿入部１０の外径寸法が増大することを防止することが可能となる。
【００３５】
また、吸引口２２近傍の液体又は気体を吸引する吸引チャネル２３を備えることで、挿入部１０の先端近傍の観察に邪魔な水等を除去することができ、観察作業を容易なものとすることが可能となる。
【００３６】
また、吸引方向切替弁２５により吸引チャネル２３の吸引方向を切り替えることによって、送水口１２に対向する観察部位の洗浄あるいは冷却用として送られた水と放熱部１４の冷却用として送られた水とを吸引チャネル２３により吸引することができる。したがって、放熱部１４の冷却に用いられた水を還流させる還水チャネルを別途設ける必要がなくなるため、挿入部１０の外形寸法を小さくすることが可能となる。
【００３７】
なお、上記の内視鏡システム１において、図２に示す観察部位への送水と、図３に示す観察部位からの吸引とを同時に行っても良い。この場合、送水チャネル１３の送水方向が送水口１２側となるように給水方向切替弁１５を動作させている場合には、吸引チャネル２３の吸引方向が吸引口２２側となるように吸引方向切替弁２５を動作させる。これにより、観察部位の洗浄性を向上させることが可能となる。
【００３８】
また、本実施形態の第１の変形例として、図４および図５に示すように、送水チャネル１３内の圧力を利用して冷却水の供給方向を切り替える給水方向切替弁（給水方向切替手段）３１を採用してもよい。
この給水方向切替弁３１は、送水チャネル１３を送水口１２側への流路と放熱部１４側への流路とに択一的に連通させる２つの位置の間で冷却水の流通方向に移動可能に配置された弁体３２と、弁体３２と送水チャネル１３内壁との間に配置され、弁体３２を上流側に付勢するバネ３３とを有している。
【００３９】
上記構成を有する給水方向切替弁３１において、送水チャネル１３内の冷却水に圧力が加えられると、該圧力により弁体３２が下流側に押圧され、送水チャネル１３を流通してきた冷却水の供給方向が送水口１２側又は放熱部１４側のいずれかに切り替わることとなる。
【００４０】
以上のように、第１の変形例に係る内視鏡システムによれば、送水チャネル１３内の冷却水に圧力を加えることにより給水方向切替弁３１を動作させ、送水口１２側又は放熱部１４側のいずれかを選択して送水することができる。これにより、給水方向切替弁３１を、電磁弁等の電力を必要とする構成ではなく、バネ等を用いた簡易な構成とすることができる。また、電磁弁等を動作させるための電力線を挿入部１０に設ける必要がなくなるため、挿入部１０の外径寸法が増大することを防止することができる。
【００４１】
また、上記の給水方向切替弁３１において、送水チャネル１３内の圧力が所定値未満の場合には冷却水の供給方向を放熱部１４側に切り替えるとともに、送水チャネル１３内の圧力が所定値以上の場合には冷却水の供給方向を送水口１２側に切り替えるようにしてもよい。
このようにすることで、図４に示すように、放熱部１４側に供給する冷却水を低圧・小流量とし、放熱部１４にかかる水圧を低減することができる。また、図５に示すように、送水口１２側に供給する冷却水を高圧・大流量とし、送水口１２に対向する観察部位の洗浄性を向上させることができる。
【００４２】
また、本実施形態の第２の変形例として、図６および図７に示すように、吸引チャネル２３内の圧力を利用して冷却水の吸引方向を切り替える吸引方向切替弁（吸引方向切替手段）３５を採用してもよい。
この吸引方向切替弁３５は、吸引チャネル２３を吸引口２２側への流路と放熱部１４側への流路とに択一的に連通させる２つの位置の間で水等の吸引方向に移動可能に配置された弁体３６と、弁体３６と吸引チャネル２３内壁との間に配置され、弁体３６を上流側に引っ張るバネ３７とを有している。
【００４３】
上記構成を有する吸引方向切替弁３５において、吸引チャネル２３内に吸引圧力が加えられると、該吸引圧力により弁体３６が下流側に引っ張られ、吸引チャネル２３の吸引方向が吸引口２２側又は放熱部１４側のいずれかに切り替わることとなる。
【００４４】
以上のように、第２の変形例に係る内視鏡システムによれば、吸引チャネル２３内の圧力を変化させることにより吸引方向切替弁３５を動作させ、吸引口２２側又は放熱部１４側のいずれかを選択して吸引することができる。これにより、吸引方向切替弁３５を、電磁弁等の電力を必要とする機構ではなく、バネ等を用いた簡易な機構とすることができる。また、電磁弁等を動作させるための電力線を挿入部１０に設ける必要がなくなるため、挿入部１０の外径寸法が増大することを防止することができる。
【００４５】
また、本実施形態の第３の変形例として、図８に示すように、給水方向切替弁１５，３１が冷却水の供給方向を送水口１２側に切り替えた場合に、光電変換素子１１を低発熱モードに設定する低発熱モード設定部（図示略）をさらに備えることとしてもよい。
このようにすることで、給水方向切替弁１５，３１が冷却水の供給方向を送水口１２側としている場合、すなわち、光電変換素子１１の冷却が行われていない場合には、低発熱モード設定部により光電変換素子１１が低発熱モードに設定され、その発熱量を低減させることができる。ここで、光電変換素子１１として、例えば、発光ダイオードやＣＣＤ等が用いられており、これらの低発熱モードの例として、発光ダイオードの発光量を低くすることや、ＣＣＤの動作クロック数を下げることが挙げられる。
【００４６】
また、本実施形態の第４の変形例として、図９および図１０に示すように、光電変換素子１１および放熱部１４を送水チャネル１３の流路分岐点よりも上流側に設け、吸引チャネル２３側又は送水口１２側のいずれに冷却水を送水している場合にも、放熱部１４を冷却水が流通するようにしてもよい。
このようにすることで、冷却水の送水方向に関わらず、常に放熱部１４により光電変換素子１１を冷却することができる。
【００４７】
また、本実施形態の第５の変形例として、図１１に示すように、吸引チャネル２３とは別に、光電変換素子１１を冷却するために用いられた冷却水を挿入部１０の基端側に還流させる還流チャネル４１を備えることとしてもよい。
このようにすることで、吸引チャネル２３に弁等の障害物を無くすことができ、未消化の食物等の固形物が吸引チャネル２３の中で閉塞してしまうことを防止することができる。
【００４８】
〔第２の実施形態〕
次に、本発明の第２の実施形態について以下に説明する。
本実施形態に係る内視鏡システムが第１の実施形態と異なる点は、放熱部の表面に冷却水を染み出させ、その冷却水の気化熱により光電変換素子を冷却する点である。以下、本実施形態の内視鏡システムについて、第１の実施形態と共通する点については説明を省略し、異なる点について主に説明する。
【００４９】
図１２（ａ）および図１２（ｂ）に示すように、本実施形態に係る内視鏡システム２は、例えば、体腔内に挿入される挿入部５０と、挿入部５０に冷却水を送水するとともに挿入部５０により取得した画像に画像処理等を施す内視鏡制御ユニット（図示略）とを備えている。
【００５０】
挿入部５０は、その先端に配置された固定部５７と、固定部５７に固定された光源５２およびＣＣＤ５３（以下、「光電変換素子５１」という。）と、挿入部５０の長手方向に沿って基端側から先端まで全長に渡って設けられ、先端に開口する送水チャネル５５および吸引チャネル５６と、挿入部５０の先端部に光電変換素子５１に近接して配置された放熱部５８とを備えている。
【００５１】
送水チャネル５５は、挿入部５０の先端に開口した送水口６５を有しており、挿入部５０の基端側から送水口６５に冷却水を流通させるようになっている。これにより、送水口６５に対向した観察部位に対して冷却水を供給し、観察部位あるいは発光ダイオードやＣＣＤ用の観察窓（図示略）の洗浄を行うようになっている。
吸引チャネル５６は、挿入部５０の先端に開口した吸引口６６を有しており、吸引口６６から液体又は気体を吸引して挿入部５０の基端側に排出するようになっている。
【００５２】
放熱部５８は、挿入部５０の先端外面に開口し、送水チャネル５５に連通して送られてきた冷却水が染み出す多数の透孔を有する多孔質材料から構成されている。このように構成することで、送水チャネル５５内の冷却水が多数の透孔を通って放熱部５８の表面に染み出し、染み出した水が気化する際に放熱部５８から気化熱を奪うので放熱を行うようになっている。なお、放熱部５８を構成する多孔質材料として、例えば、焼結金属が好適である。
【００５３】
上記構成を有する内視鏡システム２の作用について以下に説明する。
挿入部５０が体腔内に挿入され、体腔内の観察が開始されると、内視鏡制御ユニットにより送水チャネル５５に冷却水が送水される。
挿入部５０の基端側から送水チャネル５５を通って送られてきた冷却水は、送水口６５から観察部位に供給され、観察部位の洗浄あるいは冷却が行われる。また、送水チャネル５５を流通する冷却水の一部が、放熱部５８の多数の透孔を通って表面に染み出す。このようにして染み出した水が気化する際に放熱部５８から気化熱を奪うので放熱が行われる。
【００５４】
以上説明したように、本実施形態に係る内視鏡システム２によれば、送水チャネル５５内の冷却水が多数の透孔を通って放熱部５８の表面に染み出し、染み出した水が気化する際に放熱部５８から気化熱を奪うので放熱が行われ、光電変換素子５１の冷却を行うことが可能となる。
【００５５】
なお、本実施形態の変形例として、図１３（ａ）および図１３（ｂ）に示すように、放熱部を多孔質材料で構成する代わりに、挿入部５０の先端外面に開口し、送水チャネル５５に連通して送られてきた冷却水を供給する開口部６７を設け、放熱部の放熱面に親水性の層６８を形成することとしてもよい。
このようにすることで、開口部６７から供給された冷却水を放熱面に形成された親水性の層６８に拡げることができ、効率よく放熱を行うことが可能となる。なお、親水性の層６８として、例えば、酸化チタンなどの光触媒が好適である。
【００５６】
〔第３の実施形態〕
次に、本発明の第３の実施形態について以下に説明する。
本実施形態に係る内視鏡システムが第２の実施形態と異なる点は、挿入部の先端に体腔内の状態を検出する検出部を設け、検出した値に基づいて放熱部により放熱を行う点である。以下、本実施形態の内視鏡システムについて、前述の各実施形態と共通する点については説明を省略し、異なる点について主に説明する。
【００５７】
図１４（ａ）および図１４（ｂ）に示すように、本実施形態に係る内視鏡システム３は、例えば、体腔内に挿入される挿入部５０と、挿入部５０に冷却水を送水するとともに挿入部５０により取得した画像に画像処理等を施す内視鏡制御ユニット７０とを備えている。
【００５８】
挿入部５０は、その先端に配置された固定部５７と、固定部５７に固定された光電変換素子５１と、光電変換素子５１に近接して配置された放熱部５８と、挿入部５０の長手方向に沿って設けられた送水チャネル５５および吸引チャネル５６と、送水チャネル５５の放熱部５８よりも下流側に設けられた給水弁８１と、放熱部５８に近接して設けられ、放熱部５８の温度を検出する温度検出部６１、放熱部５８の周囲の湿度を検出する湿度検出部６２、および放熱部５８の周囲の圧力を検出する圧力検出部６３とを備えている。
【００５９】
内視鏡制御ユニット７０は、冷却水を貯留するタンク７７と、タンク７７から冷却水を送水チャネル５５に圧送する送水ポンプ７２と、送水ポンプ７２の二次側に設けられた送水弁８２と、内視鏡制御ユニット７０外部より空気を取り込んで送水チャネル５５に圧送する送気ポンプ（送気手段）７４と、送気ポンプ７４の一次側に取り付けられたエアフィルタ７５と、送気ポンプ７４の一次側に取り付けられ、空気を乾燥させるドライヤ７３と、ドライヤ７３の二次側に設けられた送気弁８３と、吸引チャネル５６から冷却水および空気を吸引する排水・排気ポンプ７６と、送水ポンプ７２、送気ポンプ７４、および排水・排気ポンプ７６の制御を行うコントローラ（送水量調整手段および吸引量調整手段）７１とを備えている。
【００６０】
給水弁８１、送水弁８２、および送気弁８３は、それぞれの設定値未満の圧力が加わっている状態では流路を閉じており、設定値以上の圧力が加えられた状態で流路を開き、冷却水又は空気を流通させるようになっている。ここで、給水弁８１の設定値は、送水弁８２および送気弁８３の設定値よりも高く設定されており、送水ポンプ７２又は送気ポンプ７４の吐出圧力を所定の範囲内とすることで、給水弁８１が閉じており、かつ、送水弁８２および送気弁８３が開いた状態となるようになっている。このようにすることで、観察部位に対して送水口６５から送水又は送気を行うことなく、放熱部５８に対して冷却水又は空気を供給して放熱部５８の放熱を行うことができる。
【００６１】
コントローラ７１は、温度検出部６１により検出された温度に応じて送水ポンプ７２の送水量を調整するようになっている。また、コントローラ７１は、湿度検出部６２により検出された湿度に応じて送気ポンプ７４の送気量を調整するようになっている。また、コントローラ７１は、圧力検出部６３により検出された圧力に応じて排水・排気ポンプ７６の吸引量を調整するようになっている。
【００６２】
上記のコントローラ７１の具体的な制御について、図１５に示すフローチャートに基づいて以下に説明する。
図１５（ａ）に示すように、温度検出部６１により放熱部５８の温度の測定が行われ（Ｓ１）、その測定結果が設定温度以上だった場合には（Ｓ２）、送水ポンプ７２により一定量の冷却水が放熱部５８に送られる（Ｓ３）。そして、放熱部５８の温度変化が判断され（Ｓ４）、放熱部５８の温度が下がった場合には放熱部５８の温度測定を続行し（Ｓ１）、放熱部５８の温度が上がった場合には送水チャネルに閉塞等の異常が発生していると判断して光源５２を消灯する（Ｓ５）。
【００６３】
また、図１５（ｂ）に示すように、湿度検出部６２により放熱部５８の周囲の湿度の測定が行われ（Ｓ１１）、その測定結果が設定湿度以上だった場合には（Ｓ１２）、排水・排気ポンプ７６により一定量の空気等を吸引して挿入部５０の外部に排出するとともに（Ｓ１３）、送気ポンプ７４により一定量の低湿度の空気が放熱部５８に送られる（Ｓ１４）。
【００６４】
また、図１５（ｃ）に示すように、圧力検出部６３により放熱部５８の周囲の圧力の測定が行われ（Ｓ２１）、その測定結果が設定圧力以上だった場合には（Ｓ２２）、排水・排気ポンプ７６により一定量の空気等を吸引して挿入部５０の外部に排出する（Ｓ２３）。
【００６５】
上記構成を有する内視鏡システム３の作用について以下に説明する。
挿入部５０が体腔内に挿入され、体腔内の観察が開始されると、送水ポンプ７２により送水チャネル５５に冷却水が送水される。
挿入部５０の基端側から送水チャネル５５を通って送られてきた冷却水は、送水口６５から観察部位に供給され、観察部位の洗浄あるいは冷却が行われる。また、送水チャネル５５を流通する冷却水の一部が、放熱部５８の多数の透孔を通って表面に染み出すこととなる。このようにして染み出した水が気化する際に放熱部５８から気化熱を奪うので放熱が行われる。
【００６６】
放熱部５８に染み出した冷却水の大部分が蒸発すると、放熱量が減少して放熱部５８の温度が上昇する。放熱部５８の温度は温度検出部６１により検出されており、検出された温度が予め設定された温度以上になった場合に、コントローラ７１は、送水ポンプ７２を一定時間起動させ、一定量の冷却水を送水チャネル５５に送水する。このようにして送水された冷却水の一部が放熱部５８の表面に染み出して蒸発し、その際の吸熱作用によって放熱部５８の放熱が再び行われる。以上の処理は、温度検出部６１により検出された温度が、予め設定された温度よりも低くなるまで繰り返される。
【００６７】
一方、放熱部５８から一定量以上の冷却水を気化させると、体腔内の湿度が上昇し、放熱部５８における冷却水の蒸発量が低下する。体腔内の湿度は、湿度検出部６２により検出されており、検出された湿度が予め設定された湿度以上になった場合に、送気ポンプ７４を一定時間起動させ、一定量の空気を放熱部５８に送る。ここで、送気ポンプ７４により送られる空気はドライヤ７３により乾燥されているので、体腔内には乾燥した空気が送られることとなる。このようにして、体腔内の湿度を低下させ、放熱部５８における冷却水の気化を促進する。
【００６８】
ここで、冷却水の気化に伴う体積の膨張および送気ポンプ７４による送気によって体腔内の圧力が上昇し、患者を苦しめる可能性がある。体腔内の圧力は、圧力検出部６３により検出されており、検出された圧力が予め設定された圧力以上になった場合に、排水・排気ポンプ７６を一定時間起動させ、一定量の空気等を吸引して挿入部５０の外部に排出する。このようにして、体腔内の圧力を低下させ、体腔内の圧力を一定の範囲に維持する。
【００６９】
以上説明したように、本実施形態に係る内視鏡システム３によれば、放熱部５８の温度を検出する温度検出部６１と、温度検出部６１により検出された温度に応じて放熱部５８への送水量を調整する送水ポンプ７２とを備えることで、温度検出部６１により放熱部５８の温度管理を行い、放熱部５８が過熱してしまうことを防止することができる。
【００７０】
また、送水チャネル５５に送気を行う送気ポンプ７２を備えることで、送気ポンプ７２により送水チャネル５５を介して放熱部５８に送気を行い、放熱部５８における気化を促進することができる。なお、本実施形態において、送気ポンプ７２により送られた空気を送水チャネル５５に流通させることとして説明したが、送水チャネル５５とは別に、放熱部５８の近傍に開口した送気チャネルを挿入部５０に設けることとしてもよい。
【００７１】
また、放熱部５８の周囲の湿度を検出する湿度検出部６２を備え、送気ポンプ７２が、湿度検出部６２により検出された湿度が所定値以上の場合に送気を行うことで、湿度検出部６２により放熱部５８の周囲の湿度管理を行い、検出された湿度が所定値以上の場合に送気ポンプ７２により放熱部５８に送気を行うことによって、放熱部５８における気化を促進することができる。
【００７２】
また、吸引口６６の周囲の圧力を検出する圧力検出部６３と、圧力検出部６３により検出された圧力に応じて吸引口６６からの吸引量を調整する排水・排気ポンプ７６を備えることで、吸引チャネル５６により放熱部５８の冷却に用いられて昇温した冷却水を吸引するとともに、体腔内の圧力を適正な値に維持することができる。
【００７３】
なお、本実施形態の変形例として、図１６（ａ）および図１６（ｂ）に示すように、圧力検出部６３を設ける代わりに、排水・排気ポンプ７６の一次側に所定の圧力で流路を開放する圧力開放弁８４を設けることとしてもよい。
このようにすることで、体腔内が所定の圧力以上となった場合に、圧力開放弁８４から体腔内の圧力を逃がすことが可能となる。また、排水・排気ポンプ７６の一次側に排水弁８５を設けるとともに、送水チャネル５５と吸引チャネル５６とを接続して、送水吸引口９１から冷却水の供給および吸引を行うようにしてもよい。
【００７４】
以上、本発明の各実施形態について図面を参照して詳述してきたが、具体的な構成はこれらの実施形態に限られるものではなく、本発明の要旨を逸脱しない範囲の設計変更等も含まれる。
例えば、第１の実施形態に係る内視鏡装置１において、第３の実施形態に記載の温度検出部６１を設け、温度検出部６１により検出した温度に応じて冷却水を送水する構成としてもよい。
【図面の簡単な説明】
【００７５】
【図１】本発明の第１の実施形態に係る内視鏡システムの構成を説明する模式図である。
【図２】図１の内視鏡システムの送水時の動作を説明する模式図である。
【図３】図１の内視鏡システムの吸引時の動作を説明する模式図である。
【図４】図１の第１の変形例に係る内視鏡システムの部分拡大図である。
【図５】図４の内視鏡システムの送水時の動作を説明する部分拡大図である。
【図６】図１の第２の変形例に係る内視鏡システムの部分拡大図である。
【図７】図６の内視鏡システムの吸引時の動作を説明する部分拡大図である。
【図８】図１の第３の変形例に係る内視鏡システムの動作を説明する図である。
【図９】図１の第４の変形例に係る内視鏡システムの部分拡大図である。
【図１０】図９の内視鏡システムの送水時の動作を説明する部分拡大図である。
【図１１】図１の第５の変形例に係る内視鏡システムの構成を説明する模式図である。
【図１２】本発明の第２の実施形態に係る内視鏡システムの構成を説明する模式図であって、（ａ）は斜視図、（ｂ）は断面図である。
【図１３】図１２の変形例に係る内視鏡システムの構成を説明する模式図であって、（ａ）は斜視図、（ｂ）は断面図である。
【図１４】本発明の第３の実施形態に係る内視鏡システムの構成を説明する模式図であって、（ａ）は斜視図、（ｂ）は断面図である。
【図１５】図１４の内視鏡システムの内部処理を示すフローチャートであって、（ａ）は温度監視フロー、（ｂ）は湿度監視フロー、（ｃ）は圧力監視フローである。
【図１６】図１４の変形例に係る内視鏡システムの構成を説明する模式図であって、（ａ）は斜視図、（ｂ）は断面図である。
【符号の説明】
【００７６】
１，２，３  内視鏡システム
１０，５０  挿入部
１１，５１  光電変換素子
１２，６５  送水口
１３，５５  送水チャネル
１４，５８  放熱部
１５，３１  給水方向切替弁
２０  操作部
２２，６６  吸引口
２３，５６  吸引チャネル
２５，３５  吸引方向切替弁
４１  還流チャネル
６１  温度検出部
６２  湿度検出部
６３  圧力検出部
６８  親水性の層
７０  内視鏡制御ユニット
７１  コントローラ
７２  送水ポンプ
７３  ドライヤ
７４  送気ポンプ
７５  エアフィルタ
７６  排水・排気ポンプ
７７  タンク
９１  送水吸引口
【図１】
2009160075.tif 000003
【図２】
2009160075.tif 000004
【図３】
2009160075.tif 000005
【図４】
2009160075.tif 000006
【図５】
2009160075.tif 000007
【図６】
2009160075.tif 000008
【図７】
2009160075.tif 000009
【図８】
2009160075.tif 000010
【図９】
2009160075.tif 000011
【図１０】
2009160075.tif 000012
【図１１】
2009160075.tif 000013
【図１２】
2009160075.tif 000014
【図１３】
2009160075.tif 000015
【図１４】
2009160075.tif 000016
【図１５】
2009160075.tif 000017
【図１６】
2009160075.tif 000018